(57)【特許請求の範囲】
【請求項１】
料金徴収装置（３１）とカメラ（３２ａ，３２ｂ）とタッチパネル式ディスプレイ（３３）と撮影用操作部（３３１）とを具備し、撮影された画像を他の背景画像等と合成してシール用紙にプリントして発行するシール作成販売機（３）と、当該シール作成販売機（３）の前面に設けられる被写体スペース（２）と、正面側ストロボライトと、室内照明灯（４ａ，４ｂ）と、これらを収納する出入口付きのキャビン（１）と、から成るプリントシールベンダーにおいて、
更に、被写体スペース（２）からシール作成販売機（３）に向かって左右両側のキャビン側壁の最上部に、被写体スペース（２）を挟んで相対向させて、それぞれ、斜め上向きレフ板（５４）とストロボライト（５２）とから成り、天井に向けてストロボライトを照射する投光器と、斜め下向きレフ板（５３）と照明ランプ（５１）から成り、キャビン側壁を照明する投光器とを具備する補助投光器（５Ａ，５Ｂ）を設けたことを特徴とする上記のプリントシールベンダー。
【発明の詳細な説明】
【０００１】
【発明の属する技術分野】
本発明は、プリントシールベンダーに関し、特にそのストロボ照明に改良を加えたプリントシールベンダーに関する。
【０００２】
【従来の技術】
キャビン内に入った１人又は複数の客を、客の好みのポーズで撮影し、その画像を客の希望する背景画像や文字等と合成してシール用紙に複数駒プリントして発行するシール作成販売機は遊技場、デパート、イベント会場等に設置され、遊び感覚でスナップ写真を撮るという目的で広く楽しまれている。通常は、同じ画像が同時に複数枚並べてプリントアウトされるので、それらを仲間で分けあい、各人がストックブックに貼り付けて保存し、コレクションにすることも楽しみの一つとされている。
【０００３】
しかしながら、従来のプリントシールベンダーにおいては、ストロボライトが被写体の正面側にしか設けられていないため、撮影された画像は陰影に乏しく、顔などは肌の色が白く飛んでノッペリとした表情になってしまうという問題があった。
専門の写真スタジオでは、そのようなことのないように、複数の照明機材を用いて被写体を間接光で照明し、その照明状態を確認した上でストロボをたくというように、高度の照明技術が駆使されるが、簡易なプリントシールベンダーではそのような手段を採用することは到底困難であった。
【０００４】
【発明が解決しようとする課題】
本発明は、上記の問題点を解決するためになされたものであり、その目的とするところは、省スペース、低コストで良好な照明効果が得られ、写りの良い画像のプリントシールを発行することが可能なプリントシールベンダーを提供することにある。
【０００５】
【問題を解決するための手段】
本発明の上記の目的は、公知のプリントシールベンダーにおいて、
被写体スペースからシール作成販売機に向かって左右両側のキャビン側壁の最上部に、被写体スペースを挟んで相対向させて、それぞれ、斜め上向きレフ板とストロボライトとから成り、天井に向けてストロボライトを照射する投光器と、斜め下向きレフ板と照明ランプからなり、キャビン側壁を照明する投光器とを具備する補助投光器を設けることにより達成される。
【０００６】
【発明の実施の形態】
以下、図面を参照しつゝ本発明を具体的に説明する。
図１は、本発明に係るプリントシールベンダーの一実施例の説明図、図２は  補助投光器の縦断面図である。
図１中、１はキャビン、１Ａはその天井壁、１Ｂは左側壁、１Ｃは右側壁、１Ｄはカーテンで仕切られる出入口、２は１人又は複数の使用者（客）が入る被写体スペース、３はシール作成販売機、３１はその料金徴収装置、３２ａは正面カメラ、３２ｂは上部カメラ、３３はタッチパネル式ディスプレイ、３３１はタッチパネル式の撮影用操作部、３４はタッチペン、３５はプリントシール発行口、４ａ及び４ｂは室内照明用の蛍光灯、５Ａ及び５Ｂはキャビンの左右の側壁の最上部に取り付けられた補助投光器、５１は補助投光器の下段部に取り付けられた照明ランプ、５２は上段部に取り付けられたストロボライトである。
【０００７】
キャビン１内は、シール作成販売機３の上段左右に設けた蛍光灯４ａ及び下段左右に設けた蛍光灯４ｂと、後述する補助投光器５Ａ及び５Ｂの照明ランプ５１によって常時照明されている。
キャビン１の出入口１Ｄから被写体スペース２に入った使用者は、料金徴収装置３に所定の料金を投入し、シール作成販売機３のタッチパネル式ディスプレイ３３の一部に設けたタッチパネル式のボタンを配列した撮影用操作部３３１を操作して、ディスプレイ３３上に表示される様々な背景画像の中から希望する背景画像を選択する。次いで、正面カメラ３２ａ又は上部カメラ３２ｂのいずれで撮影を行なうかを選択した上で、操作部３３１の撮影ボタンを押すと、セルフタイマー形式で数秒後に撮影が行なわれるので、その数秒の間に選択したカメラに向かってポーズを決めるようにする。
【０００８】
撮影時には、正面の上段の蛍光灯４ａより奥側、及び下段の蛍光灯４ｂより奥側にそれぞれ設けたストロボライト（図では省略）と、後述する補助投光器５Ａ及び５Ｂのストロボライト５２とが、カメラと同期して同時に発光するようになっている。
１回の撮影が終わると、タッチパネル式ディスプレイ３３上に、予め選択した背景画像上に、撮影した人物像を合成した映像が表示されるので、使用者はその上にタッチペン３４を用いて自筆の文字、図案等を記入する。
通常のプリントシールベンダーにおいては、１回の料金投入で２〜３回の撮影ができるようになっているので、以下同様の操作を繰り返し、背景画像やポーズの異なった写真を２〜３種類撮影する。
【０００９】
すべての撮影が終了すると、シール作成販売機３内で画像処理とプリントが行なわれ、最後の撮影から数十秒後に、予め選択した背景画像と、撮影した人物像と、自筆の書込みとの合成画像がプリントされた小さなシールが台紙に複数枚貼り付いた状態で、プリントシール発行口３５から排出される。
【００１０】
而して、本発明に係るプリントシールベンダーは、被写体スペース２の左右両側のキャビン側壁１Ｂ及び１Ｃの最上部に、横長の補助投光器５Ａ及び５Ｂを設けたことを特徴とするものであるので、この補助投光器５Ａ及び５Ｂの構成について説明する。なお、補助投光器５Ａと５Ｂは同一の構成を有するので、ここでは補助投光器５Ａについてのみ説明する。
補助投光器５Ａは、図２に示すように、斜め下向きレフ板５３及び斜め上向きレフ板５４によって上下二段に分割された横長のカバー５０と、その下段部の斜め下向きレフ板５３に取り付けられ、常時発光する照明ランプ５１と、その上段部の斜め上向きレフ板５４に取り付けられ、カメラと同期して発光するストロボライト５２とから構成されている。
【００１１】
照明ランプ５１の光は、斜め下向きレフ板５３により反射されて、被写体スペース２内の人物を斜め上から照射するようになっている。照明ランプ５１としては、蛍光灯、白熱電球、ハロゲン管、キセノン管等、写真撮影用の各種公知の光源を、適宜選択して利用できる。
【００１２】
ストロボライト５２の光は、斜め上向きレフ板５４により反射されて、白色の天井壁１Ａに照射され、天井壁１Ａで反射され、或いは更に左右の側壁１Ｂ及び１Ｃで反射されて、間接光となってから、被写体スペース２内の人物を上及び左右方向から照射する。即ち、ストロボライト５２からの光は、斜め上向きレフ板５４の作用で直接光として人物に照射されることはなく、天井壁１Ａや、更に左右の側壁１Ｂ，１Ｃで反射された間接光として照射されることになる。
このように、本発明においては、被写体が、正面側からのストロボ光だけでなく、上及び左右方向からの間接的なストロボ光によっても照射されるため、従来のように、陰影に乏しいノッペリとした表情の写真になるという問題が解消されるものである。
【００１３】
なお、本発明は上記の実施例に限定されるものでなく、補助投光器５Ａ及び５Ｂのカバー５０の形態や、これに取り付けられるストロボライト５２の数、等は適宜変更可能であり、また、操作部３３１もタッチパネル式に限らず、通常の押しボタンでもよく、正面側の照明灯４ａ，４ｂの光源や配置についても適宜変更可能であり、従って、本発明はその目的の範囲内において上記の説明から当業者が容易に想到し得るすべての変更実施例を包摂するものである。
【００１４】
【発明の効果】
本発明は以上の如く構成されるので、本発明によるときは、省スペース、低コストで良好な照明効果が得られ、写りの良い画像のプリントシールを発行することが可能なプリントシールベンダーを提供し得るものである。
【図面の簡単な説明】
【図１】本発明に係るプリントシールベンダーの一実施例の説明図である。
【図２】補助投光器の縦断面図である。
【符号の説明】
１      キャビン
１A    天井壁
１B    左側壁
１C    右側壁
１D    出入口
２      被写体スペース
３      シール作成販売機
３１    料金徴収装置
３２ａ  正面カメラ
３２ｂ  上部カメラ
３３    タッチパネル式ディスプレイ
３３１  タッチパネル式撮影用操作部
３４    タッチペン
３５    プリントシール発行口
４ａ、４ｂ    室内照明灯
５Ａ、５Ｂ    補助投光器
５０    カバー
５１    照明ランプ
５２    ストロボライト
５３    斜め下向きレフ板
５４    斜め上向きレフ板
【図１】
0003960464.tif 000002
【図２】
0003960464.tif 000003